(57)【特許請求の範囲】
【請求項１】
法面に植生基盤を造成する方法であって、建設工事で生じた土砂と伐採された樹木の破砕片とをショベル系掘削機のバケットで混ぜ合わせて得られた混合物を前記ショベル系掘削機のバケットで１：２以下の勾配を有する法面に撒き、また、前記土砂と前記破砕片とをミキサーで混ぜ合わせて得られた混合物をベルトコンベヤで１：２以上の勾配を有する法面に散布することを含む、植生基盤の造成方法。
【請求項２】
さらに、前記法面に撒かれた前記混合物の表面に浸食防止剤を散布することを含む、請求項１に記載の方法。
【発明の詳細な説明】
【０００１】
【発明の属する技術分野】
本発明は、法面に植物のための生育土壌である植物生育基盤を造成する方法に関する。
【０００２】
【従来の技術】
道路やダムの構築、宅地やゴルフ場の造成等のために山岳地帯や森林地帯を切り開いて形成された地形改造地の緑化を目的として、該地形改造地の法面に植物生育基盤を造成することが行われており、この植物生育基盤の造成に際しては、前記地形改造地形成のための建設工事で生じた土砂（現地発生土）および伐採された樹木の破砕片が植物生育基盤材料の一部して用いられている。
【０００３】
ところで、従来にあっては、現地発生土および樹木の破砕片を他の混入材料と共にミキサーのような専用のプラントで撹拌、混合し、これらの混合物をベルトコンベヤのような専用の散布装置を用いて法面上に散布し、これにより、前記法面上に植物生育基盤を造成していた。
【０００４】
しかし、前記専用プラントによる撹拌・混合量には限界があり、また、前記専用の散布装置による散布量にも限界があった。このため、建設工事で発生した現地発生土および伐採樹木の一部のみが利用に供され、その多くが産業廃棄物として廃棄されていた。
【０００５】
【発明が解決しようとする課題】
本発明の目的は、建設工事で生じた土砂および伐採された樹木の破砕片を法面への植物生育基盤材料として大量に使用し得る、植物生育基盤の造成方法を提供することにある。
【０００６】
【課題を解決するための手段】
本発明は、法面に植生基盤を造成する方法であって、建設工事で生じた土砂と伐採された樹木の破砕片とをショベル系掘削機のバケットで混ぜ合わせて混合物とすること、前記混合物を前記ショベル系掘削機のバケットで法面に撒くことを含む。前記法面に撒かれた前記混合物の表面にさらに浸食防止剤を散布することができる。
【０００７】
１：２以下の勾配を有する法面には、前記ショベル系掘削機のバケットで混ぜ合わせて得られた混合物を前記ショベル系掘削機のバケットで撒き、また、１：２以上の勾配を有する法面には、前記土砂と前記破砕片とをミキサーで混ぜ合わせて得られた混合物をベルトコンベヤで散布してもよい。
【０００８】
【発明の作用および効果】
本発明によれば、建設工事で生じた土砂および伐採樹木の破砕片の混合およびこれらの混合物の法面への撒布について、これらをパワーショベルやバックホーのようなショベル系掘削機のバケットを用いて行うことから、これらの処理能力の大幅な増大およびこれに伴う植物生育基盤の短期造成を図ることができる。また、層厚のより大きい植物生育基盤を造成することができる。大きい層厚を有する植物生育基盤の造成は、多種多様な植物の植栽・播種を可能にする。
【０００９】
前記土砂と前記破砕片とをミキサーで混ぜ合わせて得られた混合物をベルトコンベヤで散布することと、また、前記ショベル系掘削機のバケットで混ぜ合わせて得られた混合物を前記ショベル系掘削機のバケットで撒くこととを併用することによっても、大量の植物生育基盤材料を使用しての植物生育基盤の短期造成を達成することができる。前記ミキサーで混ぜ合わされた混合物は、比較的密な混合状態にあるため、１：２以上の比較的急勾配の法面に付着しやすく、該法面への散布に適し、また、前記ショベル系掘削機のバケットで混ぜ合わされた混合物は、比較的粗な混合状態にあるため、１：２以下の緩勾配の法面への撒布に適する。
【００１０】
このことから、前記土砂および伐採樹木の破砕片の混合物の大量使用を実現することができ、これにより、例えば地形改造を目的とする建設現場の工事で発生する現地発生土および伐採樹木について、その全量またはその大部分を有効に活用することができる。
【００１１】
法面に撒かれた前記混合物の表面に浸食防止剤を散布すれば、造成された植物生育基盤の耐浸食性を向上させることができる。
【００１２】
【発明の実施の形態】
本発明は、例えば道路やダムの構築、宅地やゴルフ場の造成等のために山岳地帯や森林地帯を切り開いて形成された地形改造地の緑化を目的として行われる、前記地形改造地における法面への植物生育基盤の造成に適用される。
【００１３】
本発明に係る植物生育基盤の造成方法は、特に、１：2.0より緩い勾配を有する法面に適する。
【００１４】
前記植物生育基盤は、前記地形改造地を形成するための工事（建設工事）の過程で発生した土砂すなわち表土の掘削や切り取りにより生じた土砂と、この過程において伐採された樹木の破砕片とをショベル系掘削機のバケットで混ぜ合わせて混合物とし、その後、前記混合物を前記ショベル系掘削機のバケットで法面に撒くことにより造成する。
【００１５】
前記ショベル系掘削機として、例えばバックホーやパワーショベルを使用することができる。
【００１６】
前記土砂および破砕片の混ぜ合わせは、これらを前記地形改造地における平坦地におき、これらを前記ショベル系掘削機のバケットですくい上げまたはつかみ上げ、次いで、これらを空中で開放して自由落下させることを繰り返すことにより行うことができ、これにより、前記混合物を大量にしかも短時間で得ることができる。
【００１７】
前記土砂および破砕片の混合は、必要に応じて、これらに肥料や植物の種子等を加えて行ってもよい。
【００１８】
前記伐採樹木は、適当な破砕装置、例えばタブグラインダ（米国のモバーグ社製）を用いて、例えば爪楊枝から割り箸程度の大きさに破砕し、これを前記破砕片とすることができる。また、前記伐採樹木の他、伐採後に掘り出された根をも前記破砕装置で破砕し、該根の破砕片を前記破砕片に加え、使用することができる。
【００１９】
互いに混ぜ合わされ、これにより前記土砂と絡み合う前記伐採樹木および根の破砕片は、造成後における前記植物生育基盤の補強材となり、また、年月の経過とともに腐食して肥料となる。
【００２０】
次に、前記ショベル系掘削機のバケットによる前記土砂および破砕片の混合物の法面への撒布は、例えば前記バケットにすくい取りまたはつかみ取った前記混合物を法面上で放出して、自由落下させることにより行うことができ、これを繰り返して行えば、前記混合物が法面上に堆積してなる比較的厚さの大きい層状の植物生育基盤を形成することができる。
【００２１】
層厚の大きい植物生育基盤は、植物の根が長く伸び得る土壌を提供するため、層厚の小さい植物生育基盤と比べて、多種多様の植物の植栽・播種が可能である。
【００２２】
層厚の大きい植生基盤は、前記混合物をより多量に必要とするため、前記土砂および前記伐採樹木の破砕片の大量処理に資する。
【００２３】
本発明による植物生育基盤の造成には、前記したように、前記土砂および前記伐採樹木破砕片の大量使用が可能である。このため、前記地形改造地の形成の際に生じた土砂および伐採樹木の全部またはその大部分を前記地形改造地の緑化のために使い、その有効利用を図ることができる。また、これにより、大量の土砂および伐採樹木の産業廃棄物化を回避することができる。
【００２４】
また、植物生育基盤の造成に当たっては、前記ショベル系掘削機のバケットによる混合物の撒布と、前記土砂と前記破砕片とをミキサーで混ぜ合わせて得られた混合物のベルトコンベヤによる散布とを併用することができる。
【００２５】
この場合、前記ショベル系掘削機のバケットで混ぜ合わせて得られた混合物はその混合状態が比較的祖であるのに対し、前記ミキサーで混ぜ合わされて得られた混合物はその混合状態が比較的密であることから、前記ミキサーの混合により得られた混合物についてはこれを１：2.0以上の急な勾配を有する法面に散布する。
【００２６】
混合状態が比較的密な前記混合物は、前記ベルトコンベヤを使用して前記急勾配の法面に叩き付けてこれに付着させることができ、また、前記急勾配の法面から剥がれにくいため、前記急勾配の法面上への植物生育基盤の造成により適する。
【００２７】
これに対し、混合状態が比較的粗な混合物は、混合状態が比較的密な前記混合物に比べて法面に対する付着性が低いため、前記緩勾配の法面上への植物生育基盤の造成に適する。
【００２８】
必要に応じて、前記法面に撒かれた前記混合物の表面、すなわち造成された植物生育基盤の表面に、酢酸ビニルを主成分とする浸食防止剤（例えば、ハイモ（株）の「ハイモシード」）を散布する。これにより、前記植物生育基盤の耐浸食性を向上させることができる。
【００２９】
また、前記混合物の撒布または散布に先立ち、法面に予め段切りを施し、あるいは、法面に複数段の柵を設置することにより、前記法面に撒布または散布された混合物すなわち該混合物からなる植物生育基盤の耐浸食性や前記法面の保護機能を増大させることができる。